(57)【特許請求の範囲】
【請求項１】
給電コイルから発生される交番磁束が交鎖される受電コイルを介して交番電力を受電し、その受電した受電電力にて負荷部を駆動させる非接触給電式電気器具であって
前記受電コイルを収容する収容体の内部には、前記受電コイルを少なくとも１つの軸周りに回動可能な回動機構を備え、
前記受電コイルは複数設けられ、各受電コイルは一方の受電コイルが他方の受電コイルに対して傾斜するように構成したことを特徴とする非接触給電式電気器具。
【請求項２】
請求項１に記載の非接触給電式電気器具において、
前記回動機構は、前記受電コイルを互いに直交する２つの軸周りに回動可能に構成されたことを特徴とする非接触給電式電気器具。
【請求項３】
請求項１又は２に記載の非接触給電式電気器具において、
前記収容体は、少なくとも１つの平面を有する立体形状とされたことを特徴とする非接触給電式電気器具。
【請求項４】
請求項１又は２に記載の非接触給電式電気器具において、
前記収容体は、球形状とされたことを特徴とする非接触給電式電気器具。
【請求項５】
請求項１〜４のいずれか一項に記載の非接触給電式電気器具において、
前記負荷部は、照明であることを特徴とする非接触給電式電気器具。
【発明の詳細な説明】
【技術分野】
【０００１】
本発明は、非接触で負荷部に対して給電が実施される非接触給電式電気器具に関するものである。
【背景技術】
【０００２】
照明器具等の電気器具においては、その器具本体を容易に設置すべく、光源等の負荷部に対して非接触で給電を行う非接触給電システムが従来から開発が進められている（例えば特許文献１参照）。
【０００３】
特許文献１の電気器具（コードレス機器）を備えた非接触給電システムでは、テーブル等の家具内部に給電のための給電コイル（１次コイル）が配設されている。この給電コイルには、商用電源からの電力が適宜供給されるようになっている。このため、受電コイル（２次コイル）を備えた電気器具を前記テーブル等に配置することで、給電コイルから発生される交番磁束が受電コイルと交鎖され、この受電コイルから負荷部側に電力が供給されるようになっている。
【先行技術文献】
【特許文献】
【０００４】
【特許文献１】特開２００１−３０９５７９号公報
【発明の概要】
【発明が解決しようとする課題】
【０００５】
ところで、上記のような電気器具並びに非接触給電システムでは、給電コイルと受電コイルとが略平行状態とされる事で、効率良く負荷部に対して電力を供給することができるものである。そのため、例えば電気器具を前記テーブルに対して傾斜させて各コイルの状態が略平行からずれた状態とされるとその効率が落ちてしまい、給電コイルに対する受電コイルの平行関係を良好に保つことができる電気器具の開発が望まれている。
【０００６】
本発明は、上記課題を解決するためになされたものであって、その目的は、給電コイルに対する受電コイルの位置を良好な位置に調整可能な非接触給電式電気器具を提供することにある。
【課題を解決するための手段】
【０００７】
上記課題を解決するために、本発明の電気器具は、給電コイルから発生される交番磁束が交鎖される受電コイルを介して交番電力を受電し、その受電した受電電力にて負荷部を駆動させる非接触給電式電気器具であって前記受電コイルを収容する収容体の内部には、前記受電コイルを少なくとも１つの軸周りに回動可能な回動機構を備え、前記受電コイルは複数設けられ、各受電コイルは一方の受電コイルが他方の受電コイルに対して傾斜するように構成したこと特徴とする。
【０００８】
また上記構成において、回動機構は、受電コイルを互いに直交する２つの軸周りに回動可能に構成されることが好ましい。
また上記構成において、収容体は、少なくとも１つの平面を有する立体形状とされることが好ましい。
【０００９】
また上記構成において、収容体は、球形状とされることが好ましい。
また上記構成において、負荷部は、照明であることが好ましい。
【発明の効果】
【００１０】
本発明によれば、給電コイルに対する受電コイルの位置を良好な位置に調整可能な非接触給電式電気器具を提供することができる。
【図面の簡単な説明】
【００１１】
【図１】本実施形態における非接触給電システムの概略構成図である。
【図２】非接触給電システムの電気的構成を説明するためのブロック図である。
【図３】電気器具の模式図である。
【図４】照明器具の分解斜視図である。
【図５】別例における照明器具の模式図である。
【図６】（ａ）（ｂ）は、照明器具の使用例について説明するための模式図である。
【図７】（ａ）（ｂ）は、別例における照明器具の概略構成図である。
【図８】別例における照明器具の分解斜視図である。
【発明を実施するための形態】
【００１２】
以下、本発明を電気器具に具体化した一実施形態を図面に従って説明する。
図１は、非接触給電システムの概略構成を示す。非接触給電システムは、例えば室内Ｒの床に載置されるテーブルＴや棚Ｓ等に電気器具としての照明器具１０が載置されて、この照明器具１０に対して非接触で電力供給が実施されるものである。
【００１３】
照明器具１０は、その外観が六面体の箱状を成す筐体１１の内部に負荷部としての光源Ｌ等を搭載して、搭載されるその光源Ｌにて照射対象物に対して光を照射するものである。
【００１４】
図２〜図４に示すように、本実施形態の照明器具１０の筐体１１は、有底四角筒状の２つハウジング部材１２の開口端部１２ａ同士を重ね合わせた状態で中空で外観が略箱状を成すように構成されている。また筐体１１の内部には、受電コイル１３と、回動機構１４と、整流平滑回路１５と、光学部材１６と、光源Ｌとを有している。なお、光源Ｌは、例えば白熱灯、ＬＥＤ、有機ＥＬ、無機ＥＬ等で構成される。
【００１５】
受電コイル１３は、半球状のコイル支持部材２１の平面部２１ａに固定されるとともに、前記整流平滑回路１５と電気的に接続されている。
コイル支持部材２１の一部には径方向外側に突出する回動機構１４を構成する突起部２１ｂが計２つ、それぞれ周方向１８０度反対側となるように形成されている。この突起部２１ｂは、前記コイル支持部材２１の球面部位に倣った凹状をなす一面側が開口された回転支持部材２２の開口端部２２ａに形成される窪み部２２ｂに嵌入されて回転（回動）可能に支持されている。
【００１６】
回転支持部材２２には、窪み部２２ｂと周方向略９０度異なる位置において、径方向外側に突出する回動機構１４を構成する突起部２２ｃが計２つ、つまり回転支持部材２２の各突起部２２ｃが周方向において１８０度反対側となるように形成されている。ここで、前記各ハウジング部材１２のそれぞれには、回転支持部材２２の突起部２２ｃを支持すべくそれぞれ窪み部１２ｂが設けられている。このため、ハウジング部材１２同士の開口端部１２ａを当接するように重ね合わせることで、各ハウジング部材１２にて突起部２２ｃが回転（回動）可能に支持されている。なお、本実施形態では、前記各突起部２１ｂ，２２ｃを中心に２つの軸線上で受電コイル１３が設けられるコイル支持部材２１が回動されるため、受電コイル１３もそれに伴って回動されるようになっている。
【００１７】
次に、照明器具１０並びにこの照明器具１０を備えた非接触給電システムの電気的構成を図１及び図２に従って説明する。
図１に示すように、照明器具１０が載置されるテーブルＴや棚Ｓには、電源ブロック３１と、給電コイル３２とを備えている。電源ブロック３１は図２に示すように商用電源３０から供給される交番電力を直流電力に変換させる整流平滑回路３１ａと、この整流平滑回路３１ａからの直流電力を再度交番電力に変換させるインバータ３１ｂとを備えている。インバータ３１ｂは、給電コイル３２と電気的に接続され、給電コイル３２に対して交番電流が供給する。このため、給電コイル３２では、該コイル３２の円環内部を直交するように交番磁束が発生するようになっている。
【００１８】
照明器具１０に備えた受電コイル１３は、負荷部としての光源Ｌと接続されるとともに、その光源Ｌは受電コイル１３が前記給電コイル３２の交番磁束を受けて発生させる受電電力が整流平滑回路１５を介して供給されその光源Ｌが発光するようになっている。
【００１９】
上述したように、本実施形態の照明器具１０では、収容体としての筐体１１の内部に設けられる受電コイル１３が回動されるため、受電コイル１３を給電コイル３２と略平行とすることが可能となる。これによって、負荷部としての光源Ｌに供給される電力を十分なものとすることができ高効率で照明器具１０を使用することができるようになっている。また、筐体１１が複数の平面を有する立方形状とされるため、図６に示すように照明器具１０同士を積層配置することが可能となる。この時、棚Ｓの各載置板Ｓ１を光を透過する部材で構成することで、下側の載置板Ｓ１に載置された照射対象物に対しても光を照射することができるようになっている。
【００２０】
次に、本実施形態の特徴的な作用効果を記載する。
（１）受電コイル１３を支持するコイル支持部材２１の突起部２１ｂ及び回転支持部材２２の突起部２２ｃからなる回動機構１４は、受電コイル１３を互いに直交する２つの軸周りに回動可能に構成される。このため、１つの軸周りに回動させる構成と比較して、より高い自由度で給電コイル３２に対する受電コイル１３の位置を調整することができる。このように、受電コイル１３の角度を調整することで給電コイル３２と略平行な位置関係とすることができる。
【００２１】
（２）収容体としての筐体１１は、立方形状（箱状）とされるため、いずれの平面にてテーブルＴや棚Ｓ等に安定して載置することができる。このため、受電コイル１３が筐体１１内で揺れることを抑えることができ、受電コイル１３と給電コイル３２との相対的な位置関係を安定させることができる。これにより、より効率良く負荷部としての光源Ｌに電力を供給することが可能となる。
【００２２】
（３）照明としての光源Ｌにて負荷部を構成するため、光源Ｌの照射対象物に対して光を照射することができる。
（４）筐体１１は箱状であるため、筐体１１（照明器具１０）同士を複数個安定して積層配置することができる。
【００２３】
尚、本発明の実施形態は、以下のように変更してもよい。
・上記実施形態では、筐体１１の形状を正六面体形状としたが、これに限らない。例えば、直方体等の複数の平面からなる形状若しくは少なくとも１つの平面を有する形状であれば、その平面にて筐体１１ひいては照明器具１０を安定して配置することが可能となる。
【００２４】
・上記実施形態では、六面体の箱状としたが、これに限らず、例えば図７及び図８に示すように略球形状としてもよい。より具体的には、半球状の２つのハウジング部材４０の開口端部４０ａを重ね合わせることで筐体１１を略球形状とすることができる。このように、筐体１１の形状が２つのハウジング部材４０にて略球状を成すように形成されるため、箱形状（立方形状）と比較して受電コイル１３の巻き数（表面積）を同一としつつ、筐体１１自体のサイズを抑えることができるようになっている。
【００２５】
・上記実施形態では、特に言及していないが、例えば筐体１１内部に複数の受電コイル１３を設ける構成を採用してもよい。また、図５に示すように各コイル１３は一方のコイルが他方のコイルに対して傾斜するように構成することが好ましい。このように各コイル１３で所定の角度をなすように構成することで、いずれかのコイル１３で好適な電力を負荷部としての光源Ｌに対して供給することが可能となる。また、各受電コイル１３の角度によっては給電コイル３２の磁界（磁束）に沿って配置することができるため、より効率よく負荷部としての光源Ｌに対して電力供給を行うことができる。
【００２６】
・上記実施形態では、回動機構１４を２つの軸周りに回動可能な構成としたが、これに限らない。例えば１つの軸周りに回動可能な構成を採用してもよい。
・上記実施形態では、棚ＳやテーブルＴに電気器具としての照明器具１０を載置（配置）する構成としたが、これ以外の場所に照明器具１０を載置して照明器具１０の受電コイル１３を回動可能な構成としてもよい。
【００２７】
・上記実施形態では、照明器具１０にて電気器具を構成したが、これに限定されるものではなく、ＴＶ、フォトフレーム、小型ディスプレイ、スピーカ、扇風機、空調用のファン、空気清浄機、アロマディフューザ等の電気器具にであってもよい。
【００２８】
次に、上記実施形態及び別例から把握できる技術的思想を以下に追記する。
（イ）請求項１〜５のいずれか一項に記載の電気器具と、該電気器具の受電コイルに対して交番磁束を発生させる給電コイルとを備えたことを特徴とする非接触給電システム。
【００２９】
これにより、給電コイルに対する受電コイルの位置を良好な位置に調整可能な電気器具を備えた非接触給電システムを提供することができる。
【符号の説明】
【００３０】
１０…照明器具（電気器具）、１１…筐体（収容体）、１３…受電コイル、１４…回動機構、３２…給電コイル、Ｌ…光源（照明及び負荷部）。
【図１】
0005603161.tif 000002
【図２】
0005603161.tif 000003
【図３】
0005603161.tif 000004
【図４】
0005603161.tif 000005
【図５】
0005603161.tif 000006
【図６】
0005603161.tif 000007
【図７】
0005603161.tif 000008
【図８】
0005603161.tif 000009